(57)【要約】  無線通信基板は、無線ＩＣチップが搭載される導電性の搭載アンテナ部と、搭載アンテナ部と電界結合がなされる電極が配置され、かつ搭載アンテナ部に対して積層方向に配置されたアンテナ本体部と、搭載アンテナ部とアンテナ本体部との間に積層された絶縁性の第１スペーサ部と、を備えている。
2020059154.tif 000002
【特許請求の範囲】
【請求項１】
無線ＩＣチップが搭載される導電性の搭載アンテナ部と、
前記搭載アンテナ部と電界結合がなされる電極が配置され、かつ前記搭載アンテナ部に対して積層方向に配置されたアンテナ本体部と、
前記搭載アンテナ部と前記アンテナ本体部との間に積層された絶縁性の第１スペーサ部と、を備えている無線通信基板。
【請求項２】
前記アンテナ本体部は、前記電極と、前記電極を支持する基材と、を備え、
前記電極および前記基材は、積層方向に並べて配置され、
前記電極は、その一部同士が積層方向に間隔をあけて対向するように折り曲げられていることを特徴とする請求項１に記載の無線通信基板。
【請求項３】
前記アンテナ本体部は、積層方向から見た平面視で長方形状をなし、
前記電極は、短辺に沿う短辺方向から見た平面視で、長辺に沿う長辺方向における中央部を除いて、その一部同士が積層方向に間隔をあけて対向するように折り曲げられていることを特徴とする請求項２に記載の無線通信基板。
【請求項４】
前記搭載アンテナ部は、間隔をあけて配置された一対の翼部を備え、
前記一対の翼部は、積層方向から見た平面視で矩形状をなし、１辺の大きさＬ（ｍｍ）は、下記式（１）を満たしていることを特徴とする請求項３に記載の無線通信基板。
λ／１００≦Ｌ≦λ／１０…（１）
λ：前記無線ＩＣチップが使用する電波の波長（ｍｍ）
【請求項５】
前記第１スペーサ部の積層方向における厚みＴ（ｍｍ）は、下記式（２）を満たしていることを特徴とする請求項４に記載の無線通信基板。
λ／１００００≦Ｌ≦λ／１００…（２）
λ：前記無線ＩＣチップが使用する電波の波長（ｍｍ）
【請求項６】
前記アンテナ本体部を積層方向に挟む前記搭載アンテナ部の反対側に積層された導電性の反射材と、
前記アンテナ本体部と前記反射材との間に積層された絶縁性の第２スペーサ部と、を備えていることを特徴とする請求項３に記載の無線通信基板。
【請求項７】
請求項１から６のいずれか１項に記載の無線通信基板と、
前記搭載アンテナ部に搭載された無線ＩＣチップと、を備えている無線通信タグ。
【発明の詳細な説明】
【技術分野】
【０００１】
本発明は、無線通信基板、および無線通信タグに関する。
【背景技術】
【０００２】
従来、社員証等のＩＤカードや、在庫管理用のタグに用いられる無線通信タグとして、ＲＦＩＤ（radio frequency identifier）システムを用いた非接触型の無線通信タグが知られている。
このような無線通信タグとして、下記特許文献１には、電極を有する積層基板に設けられたキャビティ内に無線ＩＣチップが配置され、封止材によりキャビティ内に無線ＩＣチップが封止された構成が開示されている。
【先行技術文献】
【特許文献】
【０００３】
【特許文献１】国際公開第２０１１／１０８３４０号
【発明の概要】
【発明が解決しようとする課題】
【０００４】
ここで、従来の無線通信タグでは、積層基板のキャビティ内に無線ＩＣチップが封止されている。このため、無線通信タグの要求仕様の変更に応じて、例えば無線ＩＣチップを他の無線ＩＣチップと交換したり、積層基板における電極の形状を変更したりする場合に、無線ＩＣチップおよび積層基板の両方を変更する必要があり、部品の互換性に改善の余地があった。【０００５】
そこで本発明は、例えば要求仕様の変更等に際して、部品の互換性を確保することができる無線通信基板を提供することを目的とする。
【課題を解決するための手段】
【０００６】
上記課題を解決するために、本発明の無線通信基板は、無線ＩＣチップが搭載される導電性の搭載アンテナ部と、搭載アンテナ部と電界結合がなされる電極が配置され、かつ搭載アンテナ部に対して積層方向に配置されたアンテナ本体部と、搭載アンテナ部とアンテナ本体部との間に積層された絶縁性の第１スペーサ部と、を備えている。【０００７】
また、アンテナ本体部は、電極と、電極を支持する基材と、を備え、電極および基材は、積層方向に並べて配置され、電極は、その一部同士が積層方向に間隔をあけて対向するように折り曲げられてもよい。【０００８】
また、アンテナ本体部は、積層方向から見た平面視で長方形状をなし、電極は、短辺に沿う短辺方向から見た平面視で、長辺に沿う長辺方向における中央部を除いて、その一部同士が積層方向に間隔をあけて対向するように折り曲げられてもよい。【０００９】
また、搭載アンテナ部は、間隔をあけて配置された一対の翼部を備え、一対の翼部は、積層方向から見た平面視で矩形状をなし、１辺の大きさＬ（ｍｍ）は、下記式（１）を満たしてもよい。
λ／１００≦Ｌ≦λ／１０…（１）
λ：無線ＩＣチップが使用する電波の波長（ｍｍ）【００１０】
また、第１スペーサ部の積層方向における厚みＴ（ｍｍ）は、下記式（２）を満たしてもよい。
λ／１００００≦Ｌ≦λ／１００…（２）
λ：無線ＩＣチップが使用する電波の波長（ｍｍ）【００１１】
また、アンテナ本体部を積層方向に挟む搭載アンテナ部の反対側に積層された導電性の反射材と、アンテナ本体部と反射材との間に積層された絶縁性の第２スペーサ部と、を備えてもよい。【００１２】
上記課題を解決するために、本発明の無線通タグは、前述したいずれかの無線通信基板と、搭載アンテナ部に搭載された無線ＩＣチップと、を備えている。
【発明の効果】
【００１３】
本発明の無線通信基板によれば、無線ＩＣチップが搭載される搭載アンテナ部と、電極が配置されたアンテナ本体部と、の間に、第１スペーサ部が積層され、無線ＩＣチップと電極とが別部材としてそれぞれ配置されている。
このため、要求仕様の変更により、無線ＩＣチップを他の無線ＩＣチップと交換したり、電極の形状を変更したりする場合に、搭載アンテナ部およびアンテナ本体部のいずれか一方の部品を変更することで足り、他方の部品を変更する必要が無い。
これにより、例えば要求仕様の変更等に際して、変更を必要としない部品を新たな仕様の製品に転用することが可能になり、部品の互換性を確保することができる。
【図面の簡単な説明】
【００１４】
【図１】本発明の第１実施形態に係る無線通信タグを示す分解斜視図である。
【図２】図１に示すアンテナ本体部におけるＸ−Ｘ断面図である。
【図３】図１に示す無線通信タグの動作を示す図であり、（ａ）アンテナ本体部が電磁波を捉えた状態を示している。（ｂ）電磁波の影響により、アンテナ本体部に電流が流れる状態を示している。（ｃ）アンテナ本体部に流れる電流により、搭載アンテナ部に電流が流れる状態を示している。（ｄ）無線ＩＣチップから情報を読み出す際に、搭載アンテナ部に電流が流れる状態を示している。（ｅ）無線ＩＣチップから情報を読み出す際に、アンテナ本体部から電磁波が発生する状態を示している。
【図４】図１に示す無線通信タグにおいて、アンテナ本体部を取り替えた状態を示す模式図である。
【図５】図１に示す無線通信タグの第１変形例を示す分解斜視図である。
【図６】図１に示す無線通信タグの（ａ）第２変形例、（ｂ）第３変形例、（ｃ）第４変形例を示す模式図である。
【図７】図１に示す無線通信タグの第５変形例を示す分解斜視図である。
【図８】図７に示すアンテナ本体部におけるＹ−Ｙ断面図である。
【図９】図１に示す無線通信タグの第６変形例を示す模式図である。
【発明を実施するための形態】
【００１５】
次に、本発明の一実施形態に係る無線通信タグ１について、図面を参照して説明する。
本実施形態に係る無線通信タグ１は、搭載している無線ＩＣチップ２と、外部の通信リーダ（図示せず）と、が無線通信を行うことにより、情報の授受を行う通信モジュールである。
無線通信タグ１は、無線ＩＣチップ２と、無線ＩＣチップ２を保持する無線通信基板３と、を備えている。無線ＩＣチップ２としては、ＲＦＩＤシステムにおいて一般的に用いられるものとして、例えばＵＣＯＤＥ（登録商標）８チップ等を用いることができる。
【００１６】
図１に示すように、無線通信基板３は、無線ＩＣチップ２が搭載される搭載アンテナ部１０と、搭載アンテナ部１０に対して積層方向に配置されたアンテナ本体部１１と、搭載アンテナ部１０とアンテナ本体部１１との間に積層された絶縁性の第１スペーサ部１２と、を備えている。
搭載アンテナ部１０、アンテナ本体部１１、および第１スペーサ部１２は、積層方向から見た平面視（以下、単に平面視という）で、矩形状を呈している。
【００１７】
搭載アンテナ部１０は、導電性を備えた膜状をなしている。この実施形態では搭載アンテナ部１０として金属材料が採用されている。搭載アンテナ部１０は、積層方向から見た平面視（以下、上面視という）で全体として短辺と長辺とを備えた長方形状をなしている。
【００１８】
搭載アンテナ部１０は、厚み９μｍのアルミニウム膜と、厚み５０μｍのＰＥＴ樹脂膜と、により構成されている。アルミニウム膜は、接着剤によりＰＥＴ樹脂膜に接着されている。接着層の厚みは５μｍとなっている。
なお、アルミニウム膜は他の金属材料に変更してもよいし、ＰＥＴ樹脂膜は他の樹脂材料に変更してもよい。また、それぞれの厚みも任意に変更可能である。
【００１９】
搭載アンテナ部１０は、間隔をあけて配置された一対の翼部１０Ａを備えている。一対の翼部１０Ａは、上面視でアンテナ本体部１１の外縁部から突出しない範囲で矩形状をなし、互いに同等の大きさ、又は非対称な矩形の組み合わせをなしている。一対の翼部１０Ａは、長辺方向に間隔をあけて配置されている。翼部１０Ａは導電性を有し、実質的に外部と電気信号の授受を行うアンテナとして機能する。
【００２０】
一対の翼部１０Ａの間に、無線ＩＣチップ２が配置され、翼部１０Ａと無線ＩＣチップ２とが電気的に接続されている。これにより、無線ＩＣチップ２は、一対の翼部１０Ａを電気的に接続している。
上面視において、無線ＩＣチップ２は、搭載アンテナ部１０における短辺方向の一端部に配置されている。なお、搭載アンテナ部１０に対する無線ＩＣチップ２の位置は、任意に変更することができる。
【００２１】
上面視における翼部１０Ａの１辺の大きさＬ（ｍｍ）は、下記式（１）を満たしている。ここで、λは無線ＩＣチップ２が使用する電波の波長（ｍｍ）を指す。
λ／１００≦Ｌ≦λ／１０…（１）
なお、本実施形態では、無線ＩＣチップ２は周波数９２０ＭＨｚの電波を使用しているが、その他の周波数の電波を使用してもよい。図示の例では、無線ＩＣチップ２が使用する電波の波長λは、３２６ｍｍであり、翼部１０Ａの１辺の大きさＬは、２０ｍｍである。
【００２２】
第１スペーサ部１２は、上面視で短辺と長辺とを備えた長方形状をなしている。第１スペーサ部１２の短辺の大きさは、搭載アンテナ部１０の短辺の大きさと同等となっている。第１スペーサ部１２の長辺の大きさは、搭載アンテナ部１０の長辺の大きさと同等となっている。
なお、第１スペーサ部１２における短辺および長辺それぞれの大きさは、搭載アンテナ部１０における短辺および長辺それぞれの大きさよりも小さくてもよいし、大きくてもよい。
【００２３】
第１スペーサ部１２の積層方向における厚みＴ（ｍｍ）は、下記式（２）を満たしている。ここで、λは無線ＩＣチップ２が使用する電波の波長（ｍｍ）を指す。
λ／１００００≦Ｌ≦λ／１００…（２）
図示の例では、無線ＩＣチップ２が使用する電波の波長λは、３２６ｍｍであり、第１スペーサ部１２の積層方向における厚みＴは、０．１５〜０．２ｍｍである。
【００２４】
図２に示すように、アンテナ本体部１１は、搭載アンテナ部１０の翼部１０Ａと電界結合がなされる電極１１Ａと、電極１１Ａを支持する基材１１Ｂと、を備えている。電極１１Ａおよび基材１１Ｂは、積層方向に並べて配置され、一体に形成されている。
【００２５】
図１に示すように、アンテナ本体部１１は、上面視で短辺と長辺とを備えた長方形状をなしている。
アンテナ本体部１１の上面視における短辺の大きさは、第１スペーサ部１２の短辺の大きさと同等となっている。アンテナ本体部１１の上面視における長辺の大きさは、第１スペーサ部１２の長辺の大きさよりも大きくなっている。
【００２６】
図１および図２に示すように、電極１１Ａは、その一部同士が積層方向に間隔をあけて対向するように折り曲げられている。
図２に示すように、電極１１Ａおよび基材１１Ｂは、短辺に沿う短辺方向から見た正面視で、長辺に沿う長辺方向における中央部を除いて、その一部同士が積層方向に間隔をあけて対向するように折り曲げられている。
【００２７】
電極１１Ａ及び基材１１Ｂは、正面視において、短辺方向に開口するループ状に形成され、全域にわたって互いに接着されている。図示の通り、電極１１Ａが基材１１Ｂに対して正面視における外周側に配置されている。電極１１Ａは、無線ＩＣチップ２が使用する電波の周波数に対応する大きさとなっている。
アンテナ本体部１１のうち、内周側に配置された基材１１Ｂにおいて、積層方向に互いに対向する部分同士の間には、隙間ＣＬが形成されている。隙間ＣＬの積層方向の大きさＣ１は、500〜1000μｍ程度となっている。
【００２８】
電極１１Ａは厚み９μｍのアルミニウム膜により形成され、基材１１Ｂは、厚み５０μｍのＰＥＴ樹脂膜により形成されている。電極１１Ａと基材１１Ｂとを接着する接着層の厚みは５μｍとなっている。
なお、アルミニウム膜は他の金属材料に変更してもよいし、ＰＥＴ樹脂膜は他の樹脂材料に変更してもよい。また、それぞれの厚みも任意に変更可能である。
【００２９】
ループ状をなす電極１１Ａは、ループ状の一端部と他端部との間に形成されたスリット１１Ｃを備えている。
図示の例では、アンテナ本体部１１のうち、積層方向における第１スペーサ部１２側（上側）に、短辺方向に延びるスリット１１Ｃが形成されている。スリット１１Ｃは、短辺方向の全域にわたって延びている。
【００３０】
スリット１１Ｃは、電極１１Ａおよび基材１１Ｂそれぞれに一体に形成されている。スリット１１Ｃの長辺方向の大きさＬ１は、アンテナ本体部１１の長辺方向の大きさＬ２の１／５０〜１／１００程度になっている。
図１に示すように、スリット１１Ｃの上方に位置する部分に、無線ＩＣチップ２が配置されている。
【００３１】
アンテナ本体部１１には、複数の切り欠き部１１Ｄが形成されている。切り欠き部１１Ｄは、アンテナ本体部１１の上面から側面にかけて形成されている。切り欠き部１１Ｄは、電極１１Ａおよび基材１１Ｂの一部を一体に切り欠いている。
【００３２】
このように切り欠き部１１Ｄを形成することで、電極１１Ａにおいて、電流が流れる部分の経路長を、切り欠き部１１Ｄが形成されていない構成と比較して長くすることが可能になる。これにより、アンテナ本体部１１の投影面積を小さくしながら、使用する電磁波を低い周波数にすることができる。なお、切り欠き部１１Ｄの形状、大きさ、位置は、任意に変更することができる。
【００３３】
無線通信基板３は、アンテナ本体部１１を積層方向に挟む搭載アンテナ部１０の反対側に積層された導電性の反射材１３と、アンテナ本体部１１と反射材１３との間に積層された第２スペーサ部１４と、を備えている。
反射材１３は金属材料により形成されている。反射材１３の上面視における大きさは、アンテナ本体部１１と同等となっている。反射材１３を配置することで、仮に金属面にこの無線通信基板３を貼付した際に、無線ＩＣチップ２の通信能力が大きく変化するのを抑えることができる。
【００３４】
第２スペーサ部１４は、ＰＥＴ樹脂により形成され、絶縁性を備えている。第２スペーサ部１４の厚みは、第１スペーサ部１２の厚みと同等となっている。第２スペーサ部１４の上面視での大きさは、反射材１３と同等となっている。
第２スペーサ部１４がアンテナ本体部１１と反射材１３との間に介在していることで、アンテナ本体部１１と反射材１３とが導通するのを抑えることができる。
【００３５】
次に、図３を用いて、無線通信タグ１の動作について説明する。なお、図３では、反射材１３および第２スペーサ部１４の図示を省略している。
まず、図３（ａ）に示すように、通信リーダ（図示せず）から照射された電磁波をキャッチする。この際、電磁波により生じ、短辺方向に流れる磁界成分をアンテナ本体部１１がキャッチする。
この点について詳述すると、ループ状をなすアンテナ本体部１１の内側に、電磁波が通過することで、アンテナ本体部１１の電極１１Ａに電磁誘導が生じる。これにより図３（ｂ）に示すように、電極１１Ａに電流が流れる。
【００３６】
次に、電極１１Ａに流れた電流の影響により、電極１１Ａと電界結合された搭載アンテナ部１０の翼部１０Ａに逆起電力が生じる。
これにより、図３（ｃ）に示すように、搭載アンテナ部１０に、無線ＩＣチップ２を介して電流が流れる。この電流により、無線ＩＣチップ２に電力が供給され、無線ＩＣチップ２が起動する。
【００３７】
無線ＩＣチップ２が起動すると、無線ＩＣチップ２は、内部に保有している情報を出力するために、電流を生成する。これにより、図３（ｄ）に示すように、起動時に搭載アンテナ部１０に流れた電流と逆向きの電流が流れる。
この電流には、無線ＩＣチップ２が内部に保有している情報が含まれている。
【００３８】
そして、この電流により、アンテナ本体部１１の電極１１Ａに逆起電力が生じ、電極１１Ａを電流が流れる。
これにより、アンテナ本体部１１の内側に電磁波が生じ、外部に向かう磁界成分が形成される。このように生じた電磁波を、通信リーダが読み取ることで、無線ＩＣチップ２内の情報を通信リーダが読み取ることができる。
【００３９】
以上説明したように、本実施形態に係る無線通信基板３によれば、無線ＩＣチップ２が搭載される搭載アンテナ部１０と、電極１１Ａが配置されたアンテナ本体部１１と、の間に、第１スペーサ部１２が積層され、無線ＩＣチップ２と電極１１Ａとが別部材としてそれぞれ配置されている。
【００４０】
このため、無線通信タグ１への要求仕様の変更により、無線ＩＣチップ２を他の無線ＩＣチップ２と交換したり、電極１１Ａの形状を変更したりする場合に、搭載アンテナ部１０およびアンテナ本体部１１のいずれか一方の部品を変更することで足り、他方の部品を変更する必要が無い。
【００４１】
すなわち、図４に示すように、アンテナ本体部１１の大きさを変更することにより、アンテナ本体部１１がキャッチする電磁波の周波数帯域を自由に変更することができる。なお、図４では、反射材１３および第２スペーサ部１４の図示を省略している。
これにより、要求仕様の変更に際して、変更を必要としない部品を新たな仕様の製品に転用することが可能になり、部品の互換性を確保することができる。
【００４２】
また、電極１１Ａが、その一部同士が積層方向に間隔をあけて対向するように折り曲げられている。このため、例えば電極１１Ａが平板状に形成されているような構成と比較して、電極１１Ａにより囲まれた空間を形成することで、その内部を通過した電磁波により、電極１１Ａに電磁誘導を起こすことができる。
これにより、これまでのＲＦＩＤシステムにおいて通信が不安定であった非金属物（人体や水分入り容器等の水分量の多いものを含む）であってもアンテナ出力を確保し、安定した通信を行うことができる。
【００４３】
また、アンテナ本体部１１が、上面視で長方形状をなし、電極１１Ａは、長辺方向における中央部を除いて、その一部同士が積層方向に間隔をあけて対向するように折り曲げられている。
このため、例えば物体の表面にこの無線通信タグ１を貼付して使用した場合等に、この物体の表面に衝突して、表面に沿って短辺方向に流れる電磁波をアンテナ本体部１１の内側でキャッチすることが可能になり、効果的に通信の安定性を確保することができる。
【００４４】
また、搭載アンテナ部１０における一対の翼部１０Ａが、上面視で矩形状をなすとともに、その１辺の大きさＬが式（１）を満たしている。このため、搭載アンテナ部１０とアンテナ本体部１１との間に絶縁性の第１スペーサ部１２が積層されている構成であっても、無線ＩＣチップ２と電極１１Ａとの電気的な結合度を確保して、無線ＩＣチップ２と電極１１Ａとの間における電気的エネルギーの授受を確実に実現することができる。
【００４５】
また、第１スペーサ部１２の積層方向における厚みＴが、式（２）を満たしている。このため、搭載アンテナ部１０とアンテナ本体部１１との間に絶縁性の第１スペーサ部１２が積層されている構成であっても、無線ＩＣチップ２と電極１１Ａとの電気的な結合度を確保して、無線ＩＣチップ２と電極１１Ａとの間における電気的エネルギーの授受を確実に実現することができる。
【００４６】
また、無線通信基板３が、導電性の反射材１３と、アンテナ本体部１１と反射材１３との間に積層された第２スペーサ部１４と、を備えている。このため、例えば反射材１３を備えていない構成と比較して、金属面に無線通信基板３を貼付された際に、無線ＩＣチップ２の通信能力が大きく変化するのを抑えることができる。これにより、無線ＩＣチップ２の通信能力の変動を抑え、無線通信基板３が貼付される面の材料を選ぶことなく、汎用性を確保することができる。
【００４７】
また、短辺方向に開口したループ状をなす電極１１Ａが、短辺方向に流れる電磁波をターゲットとしている。
このため、積層方向に流れる電磁波が、仮に反射材１３により反射された場合であっても、アンテナ出力が低減するのを抑えることができる。
【００４８】
（変形例）
次に、図５から図９を用いて、無線通信タグ１の変形例について説明する。なお、図６および図９では、反射材１３および第２スペーサ部１４の図示を省略している。
図５に示す第１変形例に係る無線通信基板３Ｂでは、アンテナ本体部２１において、側面にのみ切り欠き部２１Ｄが形成されている。なお、アンテナ本体部２１に切り欠き部を形成しなくてもよい。
【００４９】
図６（ａ）に示す第２変形例に係る無線通信基板３Ｃでは、アンテナ本体部３１の電極３１Ａにおけるスリット３１Ｃの位置は、正面視における側面になっている。
図６（ｂ）に示す第３変形例に係る無線通信基板３Ｄでは、アンテナ本体部４１におけるスリット４１Ｃの大きさが、第１実施形態と比較して大きくなっている。この無線通信基板３Ｄでは、スリット４１Ｃの長辺方向の大きさは、アンテナ本体部４１の長辺方向の大きさの７割程度になっている。
【００５０】
このように、電極におけるスリットの位置および大きさは、任意に変更することができる。すなわち、図６（ｃ）に示す第４変形例に係る無線通信基板３Ｅのように、長辺方向の大きさが、アンテナ本体部５１の大きさの７割程度のスリット５１Ｃを、正面視における下側に配置してもよい。
【００５１】
次に、図７および図８に示す第５変形例に係る無線通信基板３Ｆのように、アンテナ本体部６１は、長辺方向からみた側面視で、短辺方向における中央部を除いて、その一部同士が積層方向に間隔をあけて対向するように折り曲げられてもよい。図示の通り、電極６１Ａが基材６１Ｂに対して側面視における外周側に配置されている。
【００５２】
すなわち、図８に示すように、側面視において、長辺方向に開口するループ状に形成されている。図９に示すように、無線通信基板３Ｆにおける搭載アンテナ部１０Ｂでは、翼部１０Ｃが短辺方向に間隔をあけて配置されている。この場合、アンテナ本体部６１は、主に長辺方向に流れる電磁波をターゲットとすることになる。
【００５３】
次に図９に示す第６変形例に係る無線通信基板３Ｇでは、２つのアンテナ本体部７１、７２が、搭載アンテナ部１０を積層方向に挟むように配置されている。
アンテナ本体部７１、７２と搭載アンテナ部１０との間には、第１スペーサ部１２が各別に配置されている。２つのアンテナ本体部７１、７２は、長辺方向の大きさが互いに異なっている。
このように互いに大きさの異なる２つのアンテナ本体部７１、７２を備えていることで、異なる周波数帯域の電磁波それぞれを用いた通信を行うことができる。
【００５４】
なお、上述の実施形態は、本発明の代表的な実施形態を単に例示したものにすぎない。したがって、本発明の趣旨を逸脱しない範囲において、上述の実施形態に対して種々の変形を行ってもよい。
【００５５】
例えば、上記実施形態においては、上面視で矩形状をなす一対の翼部１０Ａにおける１辺の大きさが、式（１）を満たしている構成を示したが、このような態様に限られない。一対の一対の翼部１０Ａにおける１辺の大きさは、式（１）を満たさなくてもよいし、翼部１０Ａは上面視で、円形状や三角形状等の矩形状ではない形状であってもよい。
【００５６】
また、上記実施形態においては、第１スペーサ部１２の積層方向における厚みＴが、式（２）を満たしている構成を示したが、このような態様に限られない。第１スペーサ部１２の積層方向における厚みＴは、式（２）を満たさなくてもよい。
【００５７】
また、上記実施形態においては、無線通信基板３が反射材１３と第２スペーサ部１４とを備えている構成を示したが、このような態様に限られない。無線通信基板３は、反射材１３と第２スペーサ部１４とを備えなくてもよい。
【００５８】
また、前述した変形例に限られず、これらの変形例を選択して適宜組み合わせてもよいし、その他の変形を施してもよい。
【符号の説明】
【００５９】
１  無線通信タグ
２  無線ＩＣチップ
３  無線通信基板
１０  搭載アンテナ部
１１  アンテナ本体部
１１Ａ  電極
１１Ｂ  基材
１２  第１スペーサ部
１３  反射材
１４  第２スペーサ部
【図１】
2020059154.tif 000003
【図２】
2020059154.tif 000004
【図３】
2020059154.tif 000005
【図４】
2020059154.tif 000006
【図５】
2020059154.tif 000007
【図６】
2020059154.tif 000008
【図７】
2020059154.tif 000009
【図８】
2020059154.tif 000010
【図９】
2020059154.tif 000011
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
平面視で矩形状を呈し、無線ＩＣチップを介して互いに接続される一対の翼部からなる導電性の搭載アンテナ部と、
前記搭載アンテナ部と電界結合がなされる電極が配置され、かつ前記搭載アンテナ部に対して積層方向に配置されたアンテナ本体部と、
前記搭載アンテナ部と前記アンテナ本体部との積層方向において、前記搭載アンテナ部と前記アンテナ本体部との間に積層され、平面視で短辺と長辺とを備えた絶縁性の第１スペーサ部と、を備え、
前記アンテナ本体部は、前記電極を支持する基材を備えるとともに、前記基材が前記電極の内周側に位置するように、かつ、一端部と他端部との間に前記第１スペーサ部の短辺に沿う短辺方向に延びるスリットが形成されるように、前記短辺方向からみてループ状をなし、
前記スリットは、前記アンテナ本体部のうち、積層方向における第１スペーサ部側に位置し、
前記電極の内周面は、全域にわたって前記基材に接着されている無線通信基板。
【請求項２】
前記搭載アンテナ部、前記アンテナ本体部、および前記第１スペーサ部それぞれにおける前記短辺方向の大きさは、互いに同等となっていることを特徴とする請求項１に記載の無線通信基板。
【請求項３】
前記一対の翼部は、積層方向から見た上面視で矩形状をなし、前記上面視における１辺の大きさＬ（ｍｍ）は、下記式（１）を満たしていることを特徴とする請求項１又は２に記載の無線通信基板。
λ／１００≦Ｌ≦λ／１０…（１）
λ：前記無線ＩＣチップが使用する電波の波長（ｍｍ）
【請求項４】
前記第１スペーサ部の積層方向における厚みＴ（ｍｍ）は、下記式（２）を満たしていることを特徴とする請求項３に記載の無線通信基板。
λ／１００００≦Ｌ≦λ／１００…（２）
λ：前記無線ＩＣチップが使用する電波の波長（ｍｍ）
【請求項５】
前記アンテナ本体部を積層方向に挟む前記搭載アンテナ部の反対側に積層された導電性の反射材と、
前記アンテナ本体部と前記反射材との間に積層された絶縁性の第２スペーサ部と、を備えていることを特徴とする請求項１又は２に記載の無線通信基板。
【請求項６】
請求項１から５のいずれか１項に記載の無線通信基板と、
前記搭載アンテナ部に搭載された無線ＩＣチップと、を備えている無線通信タグ。
【国際調査報告】
2020059154.tif 000012
2020059154.tif 000013
2020059154.tif 000014
2020059154.tif 000015